(57)【要約】      （修正有）【課題】蝶番に組み込むコイルばねを圧縮状態に保持するために特別な治具を用いず、ヒンジ部材を枢着連結するねじ軸を簡単な作業によって組み付け可能な眼鏡用ばね付き蝶番を提供する。【解決手段】中空部１８にコイルばね７を収容したばね収容部材６の支持部片１６を貫通孔１３に差し込んで連結板片１２の内側に沿って配設し、コイルばね７を圧縮して貫通孔１３に収容保持させると共に、突出片２０を貫通孔１３に係合して後端面１３ｂに当接係止させ、外側板片１７を連結板片１２の外側に沿って配設させることによって、連結部材５とばね収容部材６とがコイルばね７を圧縮させて相対的に軸線方向へ摺動可能に組み付けられる。【選択図】図３
2012058444.tif 000002
【特許請求の範囲】
【請求項１】
眼鏡フレームのヨロイとテンプルとを相対的に回動自在に連結し、装着時に前記テンプルが外側に拡開すると、ばね手段によって前記テンプルを前記ヨロイに対して閉じる方向へ付勢する眼鏡用ばね付き蝶番であって、
前記テンプル（３）の先端部に連結される連結部材（５）は、前端部分に細長い平板状の連結板片（１２）を有し、該連結板片（１２）には前記テンプル（３）の軸線方向に延びる横長の貫通孔（１３）が設けられ、
前記連結板片（１２）に組み付けられるばね収容部材（６）は、前記貫通孔（１３）に差し込んで前記連結板片（１２）の内側に沿って配設される支持部片（１６）と、該支持部片（１６）の後部に一端が固定され、前記連結板片（１２）の厚みに等しい間隔を隔てて前記支持部片（１６）と平行に延び、前記連結板片（１２）の外側に沿って配設される外側板片（１７）とで構成され、前記支持部片（１６）と前記外側板片（１７）との間にコイルばねを収容する中空部（１８）が形成され、前記支持部片（１６）の前端部は前記外側板片（１７）より前方に延び、前記ヨロイ（２）に枢着連結するねじ軸（２５）の挿通孔（１９）が設けられ、前記支持部片（１６）の後端部には、前記連結板片（１２）と等しい厚みを有し、前記中空部（１８）と同一線上に延びる突出片（２０）が設けられており、
前記中空部（１８）に前記コイルばね（７）を収容した前記ばね収容部材（６）の前記支持部片（１６）を前記貫通孔（１３）に差し込んで前記連結板片（１２）の内側に沿って配設し、前記コイルばね（７）を圧縮して前記貫通孔（１３）に収容保持させると共に、前記突出片（２０）を前記貫通孔（１３）に係合して該貫通孔（１３）の後端面（１３ｂ）に当接係止させ、前記外側板片（１７）を前記連結板片（１２）の外側に沿って配設させることによって、前記コイルばね（７）が前記連結板片（１２）と前記ばね収容部材（６）とで包囲して保持されると共に、前記連結部材（５）と前記ばね収容部材（６）とが前記コイルばね（７）をその付勢力に抗してさらに圧縮させることにより相対的に軸線方向へ摺動可能に組み付けられ、かつ、組み付け状態においては、前記突出片（２０）が前記貫通孔（１３）の後端面（１３ｂ）に当接係止されることで、前記コイルばね（７）の付勢力によって、前記連結板片（１２）の前端面（１５）と、前記支持部片（１６）の前記ねじ軸挿通孔（１９）の軸線とが一定距離に保たれており、
前記連結部材（５）は、前記テンプル（３）に設けた軸線方向に延びる取付孔（８）に挿入され、前記連結板片（１２）の後端部と前記ばね収容部材（６）の前記突出片（２０）とを前記取付孔（８）の先端開口部（８ａ）に差し込んだ姿勢で前記テンプル（３）に固定連結され、
前記連結板片（１２）の前端面（１５）を前記ヨロイ（２）の押圧面（２２）に当接させて、該ヨロイ（２）のねじ軸挿通孔（２４）と前記支持部片（１６）の前記ねじ軸挿通孔（１９）とを位置決めした状態で前記両挿通孔（１９，２４）にねじ軸（２５）を挿通して、前記ヨロイ（２）と前記支持部片（１６）とが相対的に回動自在に連結され、
前記テンプル（３）が前記ヨロイ（２）に対して前記ねじ軸（２５）を中心として全開状態よりさらに外側に拡開した時、前記コイルばね（７）の付勢力に抗して、前記連結部材（５）と前記テンプル（３）が一体的に、軸線方向へ後退して前記コイルばね（７）を圧縮し、圧縮された前記コイルばね（７）の弾発力によって前記テンプル（３）が前記ヨロイ（２）に対して閉じる方向へ付勢される構成であることを特徴とする眼鏡用ばね付き蝶番。
【請求項２】
前記連結板片（１２）の前端面（１５）が、前記支持部片（１６）の前記ねじ軸挿通孔（１９）の軸線と平行又は同一平面上に形成されると共に、前記ヨロイ（２）の押圧面（２２）が、該ヨロイ（２）のねじ軸挿通孔（２４）の軸線と平行又は同一平面上に形成され、前記前端面（１５）を前記押圧面（２２）に当接させたとき、前記両ねじ軸挿通孔（１９，２４）が同一軸上に位置決めされることを特徴とする請求項１記載の眼鏡用ばね付き蝶番。
【請求項３】
前記連結板片（１２）の外側上下両側縁に沿って、前記貫通孔と平行に延びる一対の案内突条（１４，１４）が設けられ、前記ばね収容部材（６）の前記外側板片（１７）が前記両案内突条（１４，１４）に係合して配設されていることを特徴とする請求項１又は２記載の眼鏡用ばね付き蝶番。
【発明の詳細な説明】
【技術分野】
【０００１】
本発明は、眼鏡フレームのヨロイとテンプルとを相対的に回動自在に連結し、装着時にテンプルが外側に拡開すると、ばね手段によってテンプルをヨロイに対して閉じる方向へ付勢する眼鏡用ばね付き蝶番に関するものである。
【背景技術】
【０００２】
この種のばね付き蝶番は、眼鏡フレームが装着位置からずれたり、脱落するなどの不都合を解消するために採用されており、種々の構造のものが数多く提案されている（例えば、特許文献１〜４参照）。
【発明の概要】
【発明が解決しようとする課題】
【０００３】
しかし、従来のばね付き蝶番の多くは、構造が複雑で、構成部品が多く、加工、組み立てに手間を要するものであり、特にヨロイ側のヒンジ部材とテンプル側のヒンジ部材とを回動自在に枢着連結するねじ軸を組み付ける際、蝶番に組み込むコイルばねを圧縮状態に保持させるために、特別な治具を用いて組み付けることが求められ、熟練度と、こまかい作業が必要とされていた。
【０００４】
本発明は、上記した従来のばね付き蝶番の問題点を解決するものであり、蝶番に組み込むコイルばねを圧縮状態に保持するために特別な治具を用いることなく、通常の蝶番と同様に、ヨロイ側のヒンジ部材とテンプル側のヒンジ部材を枢着連結するねじ軸を簡単な作業によって組み付けることができる眼鏡用ばね付き蝶番を提供することを課題としている。
【課題を解決するための手段】
【０００５】
上記課題を解決するために、本発明は、眼鏡フレームのヨロイとテンプルとを相対的に回動自在に連結し、装着時に前記テンプルが外側に拡開すると、ばね手段によって前記テンプルを前記ヨロイに対して閉じる方向へ付勢する眼鏡用ばね付き蝶番であって、前記テンプルの先端部に連結される連結部材は、前端部分に細長い平板状の連結板片を有し、該連結板片には前記テンプルの軸線方向に延びる横長の貫通孔が設けられ、前記連結板片に組み付けられるばね収容部材は、前記貫通孔に差し込んで前記連結板片の内側に沿って配設される支持部片と、該支持部片の後部に一端が固定され、前記連結板片の厚みに等しい間隔を隔てて前記支持部片と平行に延び、前記連結板片の外側に沿って配設される外側板片とで構成され、前記支持部片と前記外側板片との間にコイルばねを収容する中空部が形成され、前記支持部片の前端部は前記外側板片より前方に延び、前記ヨロイに枢着連結するねじ軸の挿通孔が設けられ、前記支持部片の後端部には、前記連結板片と等しい厚みを有し、前記中空部と同一線上に延びる突出片が設けられており、前記中空部に前記コイルばねを収容した前記ばね収容部材の前記支持部片を前記貫通孔に差し込んで前記連結板片の内側に沿って配設し、前記コイルばねを圧縮して前記貫通孔に収容保持させると共に、前記突出片を前記貫通孔に係合して該貫通孔の後端面に当接係止させ、前記外側板片を前記連結板片の外側に沿って配設させることによって、前記コイルばねが前記連結板片と前記ばね収容部材とで包囲して保持されると共に、前記連結部材と前記ばね収容部材とが前記コイルばねをその付勢力に抗してさらに圧縮させることにより相対的に軸線方向へ摺動可能に組み付けられ、かつ、組み付け状態においては、前記突出片が前記貫通孔の後端面に当接係止されることで、前記コイルばねの付勢力によって、前記連結板片の前端面と、前記支持部片の前記ねじ軸挿通孔の軸線とが一定距離に保たれており、前記連結部材は、前記テンプルに設けた軸線方向に延びる取付孔に挿入され、前記連結板片の後端部と前記ばね収容部材の前記突出片とを前記取付孔の先端開口部に差し込んだ姿勢で前記テンプルに固定連結され、前記連結板片の前端面を前記ヨロイの押圧面に当接させて、該ヨロイのねじ軸挿通孔と前記支持部片の前記ねじ軸挿通孔とを位置決めした状態で前記両挿通孔にねじ軸を挿通して、前記ヨロイと前記支持部片とが相対的に回動自在に連結され、前記テンプルが前記ヨロイに対して前記ねじ軸を中心として全開状態よりさらに外側に拡開した時、前記コイルばねの付勢力に抗して、前記連結部材と前記テンプルが一体的に、軸線方向へ後退して前記コイルばねを圧縮し、圧縮された前記コイルばねの弾発力によって前記テンプルが前記ヨロイに対して閉じる方向へ付勢される構成であることを特徴とする。
【０００６】
請求項２に係る発明は、前記連結板片の前端面が、前記支持部片の前記ねじ軸挿通孔の軸線と平行又は同一平面上に形成されると共に、前記ヨロイの押圧面が、該ヨロイのねじ軸挿通孔の軸線と平行又は同一平面上に形成され、前記前端面を前記押圧面に当接させたとき、前記両ねじ軸挿通孔が同一軸線上に位置決めされることを特徴とする。
【０００７】
請求項３に係る発明は、前記連結板片の外側上下両側縁に沿って、前記貫通孔と平行に延びる一対の案内突条が設けられ、前記ばね収容部材の前記外側板片が前記両案内突条に係合して配設されていることを特徴とする。
【発明の効果】
【０００８】
上記構成を有する本発明よれば、前記コイルばねを挟み込んで収容した前記ばね収容部材の前記支持部片を前記貫通孔に差し込んで、前記コイルばねを圧縮して前記貫通孔に収容保持させると共に、前記突出片を前記貫通孔に係合して該貫通孔の後端面に当接係止させた状態で、前記連結板片の後端部と前記突出片を前記テンプルの先端開口部に差し込んで固定されるので、前記ばね収容部材は、前記支持部片と前記外側部片とで前記連結板片を両側から挟みつけて、がた付くことなく安定した姿勢で前記連結板片に組み付けることができる。そして、テンプル側のヒンジ部材となる前記支持部片のねじ軸挿通孔の軸線と前記連結板片の前端面との距離が一定に確保されているので、ヨロイ側のヒンジ部材となる前記ねじ軸挿通孔に対する位置決めとねじ軸の挿通が、特別の治具を用いることなく、通常の蝶番と同様に簡単に行なえる。したがって、ばね蝶番の組み立て作業が熟練度を必要とせず、極めて容易に行なえる。
【０００９】
また、組み込まれた前記コイルばねは、前記ばね収容部材と前記連結板片により包囲されて安定した姿勢で収容保持されるので、脱落などの不都合が無い。
【００１０】
さらに、前記連結板片の外側に沿って配設される前記ばね収容部材の前記外側部片の表面に種々の模様や形状を施すことで、装飾的効果を高めることができる。
【００１１】
請求項２に係る発明によれば、前記連結板片の前端面を前記ヨロイの押圧面に当接させるだけで、テンプル側のヒンジ部材である前記支持部片のねじ軸挿通孔と、ヨロイ側のヒンジ部材である前記ヨロイのねじ軸挿通孔とが位置決めされるので、組み立て作業が一層容易になる。
【００１２】
請求項３に係る発明によれば、前記連結板片の外側上下両側縁に沿って突設した一対の案内突条に、前記ばね収容部材の前記外側板片が係合して配設されるので、前記連結板片に対して前記ばね収容部材を一層安定した姿勢で組み付けることができる。しかも、前記一対の案内突条が、表面に飾り模様を施した前記外側板片に対して強いアクセントを付加するので、装飾的効果を一層高めることが可能である。
【図面の簡単な説明】
【００１３】
【図１】本発明に係るばね付き蝶番を備えた眼鏡の側面図である。
【図２】同上眼鏡の一部省略平面図である。
【図３】本発明に係るばね付き蝶番の分解斜視図である。
【図４】同上ばね付き蝶番のばね収容部材にコイルばねを収容する工程の説明図である。
【図５】同上ばね付き蝶番の前記コイルばねを収容した前記ばね収容部材を連結部材に組み付ける工程の説明図である。
【図６】同上コイルばねを収容した前記ばね収容部材を組み付けた前記連結部材をテンプルの先端開口部に差し込む工程の説明図である。
【図７】同上前記連結部材を前記テンプルに固定連結する工程の説明図である。
【図８】同上前記テンプルに固定連結した前記連結部材に組み付けられた前記ばね収容部材をヨロイに回動自在に枢着連結する工程の説明図である。
【図９】本発明に係るばね付き蝶番を備えた眼鏡の前記ヨロイに対して前記テンプルが全開した状態を示す要部拡大断面図である。
【図１０】図９に示す前記テンプルが全開状態よりさらに外側に拡開した状態を示す要部拡大断面図である。
【発明を実施するための形態】
【００１４】
以下、本発明の実施の形態を図面に基づいて説明する。
【００１５】
図１及び図２は、本発明に係るばね付き蝶番を備えた眼鏡を示しており、レンズ枠１の端部に一体的に連結固定されたヨロイ２とテンプル３とが本発明によるばね付き蝶番４を介して相対的に回動自在に連結されている。
【００１６】
ばね付き蝶番４は、図３に示すように、テンプル３の先端部に連結される連結部材５と、該連結部材５に組み付けられるばね収容部材６と、該ばね収容部材６に収容されるコイルばね７とを主要構成部品としている。
【００１７】
連結部材５は、後端に向けて先細でテンプル３に設けた軸線方向へ延びる取付孔８に挿入して固定連結される棒状本体１１の前端部分に細長い平板状の連結板片１２が一体的に連設されている。該連結板片１２にはテンプル３の軸線方向に延びる横長の貫通孔１３が設けられている。また、連結板片１２の外側上下両側縁に沿って、貫通孔１３と平行に前端面１５まで延びる一対の案内突条１４，１４が突設されている。
【００１８】
ばね収容部材６は、後述するように、貫通孔１３に差し込んで連結板片１２の内側に沿って配設される支持部片１６と、該支持部片１６の後部に一端が固定され、連結板片１２の厚みに等しい間隔を隔てて支持部片１６と平行に延び、かつ、連結板片１２の外側に沿って配設される外側板片１７とで構成され、支持部片１６と外側板片１７との間にコイルばね７を挟むようにして収容する中空部１８が形成されている。支持部片１６の前端部は外側板片１７より前方に延び、ヨロイ２に枢着連結するねじ軸２５の挿通孔１９が設けられて、テンプル３側のヒンジアイを形成している。また、支持部片１６の後端部には、連結板片１２の厚さと等しいか、僅かに薄い厚みを有し、中空部１８と同一軸線上に後方へ延びる突出片２０が一体的に突設されている。なお、外側板片１７の表面には、種々の模様や形状３０を施して装飾的効果を高めることが可能である。
【００１９】
一方、ヨロイ２は、Ｌ字状に屈曲した本体２１の後端に連結板片１２の前端面１５と相対接する押圧面２２が設けられ、また、本体２１の後端部内方へ突設した連結部２３にねじ軸２５の挿通孔２４が設けられていて、ヨロイ２側のヒンジアイを形成している。
【００２０】
次に、上記のような構成部品から成るばね付き蝶番４の組み立て作業工程について説明する。
【００２１】
図４は、ばね収容部材６にコイルばね７を収容する作業工程を示しており、コイルばね７は、中空部１８に挿入して支持部片１６と外側板片１７との間に挟み込むように収容される。このように、コイルばね７を収容したばね収容部材６は、図５に示すように、支持部片１６を連結板片１２の貫通孔１３に差し込んで該連結板片１２の内側に沿って配設し、コイルばね７を貫通孔１３の前端面１３ａに当接させて圧縮して貫通孔１３に収容保持させると共に、突出片２０を貫通孔１３に係合して該貫通孔１３の後端面１３ｂに当接係止させて、外側板片１７を連結板片１２の外側に沿って配設する。このようにしてばね収容部材６が連結部材５の連結板片１２に組み付けられると、コイルばね７は連結板片１２とばね収容部材６とで包囲して保持されるから、コイルばね７が不測に脱落することは無い。また、連結部材５とばね収容部材６はコイルばね７をその付勢力に抗してさらに圧縮させることで相対的に軸線方向へ摺動可能であるけれども、上記した組み付け状態では、突出片２０が貫通孔１３の後端面に当接係止されることで、コイルばね７の付勢力によって、連結板片１２の前端面１５と支持部片１６のねじ軸挿通孔１９の軸線との距離が一定に保たれている。なお、図示の実施形態においては、連結板片１２の前端面１５は、支持部片１６のねじ軸挿通孔１９の軸線と同一平面上に設定されて一定距離を確保している。
【００２２】
次に、上記のようにばね収容部材６を組み付けた連結部材５は、図６に示すように、棒状本体１１をテンプル３の取付孔８に挿入し、連結板片１２の後端部とばね収容部材６の突出片２０を取付孔８の先端開口部８ａに差し込む。そして、棒状本体１１の前端部分に設けたねじ孔２７がテンプル３の先端近傍に設けた止め孔２８に合致する所定位置まで差し込んだ後、図７に示すように、止めねじ２９を止め孔２８に挿通し、ねじ孔２７にねじ嵌合して、連結部材５がテンプル３に固定連結される。
【００２３】
上記のようにテンプル３に固定連結された連結部材５は、図８に示すように、ねじ軸２５を介してヨロイ２に枢着連結して眼鏡フレームが完成される。このとき、ヨロイ２の押圧面２２は、予めねじ軸挿通孔２４の軸線と同一平面上に設定されている。したがって、連結部片１２の前端面１５をヨロイ２の押圧面２２に当接させると、該ヨロイ２のねじ軸挿通孔２４と支持部片１６のねじ軸挿通孔１９が同一軸線上に位置決めされるので、ねじ軸２５の挿通及び螺合が、特別の治具を用いることなく、通常の蝶番と同様に簡単に行なえる。したがって、ばね付き蝶番４の組み立て作業が熟練度を必要とせず、極めて容易になる。
【００２４】
図９は、本発明に係るばね付き蝶番４を備えた眼鏡のヨロイ２に対してテンプル３が全開した眼鏡の装着状態における要部を拡大して示している。
【００２５】
図１０は、テンプル３が図９に示した全開状態からヨロイ２に対してねじ軸２５を中心としてさらに外側に拡開した状態の要部を拡大して示しており、この拡開により、コイルばね７の付勢力に抗して、矢印Ａに示すように、連結部材５（連結板片１２と棒状本体１１）とテンプル３が一体的に軸線方向へ後退してコイルばね７をさらに圧縮し、圧縮された弾発力によってテンプル３がヨロイ２に対して閉じる方向（矢印Ｂ）へ付勢される。したがって、眼鏡フレームが装着位置からずれたり、脱落する等のおそれがない。
【符号の説明】
【００２６】
１  レンズ枠
２  ヨロイ
３  テンプル
４  ばね付き蝶番
５  連結部材
６  ばね収容部材
７  コイルばね
８  取付孔
１１  棒状本体
１２  連結板片
１３  貫通孔
１４  案内突条
１５  前端面
１６  支持部片
１７  外側板片
１８  中空部
１９  ねじ軸挿通孔
２０  突出片
２１  ヨロイ本体
２２  押圧面
２３  連結部
２４  ねじ軸挿通孔
２５  ねじ軸
２７  ねじ孔
２８  止め孔
２９  止めねじ
３０  模様、形状
【先行技術文献】
【特許文献】
【００２７】
【特許文献１】特開平３−１７１０３１号公報
【特許文献２】実開平５−３３１２１号公報
【特許文献３】実公昭４４−１１４７９号公報
【特許文献４】特許第３０３５５１０号公報
【図１】
2012058444.tif 000003
【図２】
2012058444.tif 000004
【図３】
2012058444.tif 000005
【図４】
2012058444.tif 000006
【図５】
2012058444.tif 000007
【図６】
2012058444.tif 000008
【図７】
2012058444.tif 000009
【図８】
2012058444.tif 000010
【図９】
2012058444.tif 000011
【図１０】
2012058444.tif 000012